(57)【要約】【課題】回路構成を大幅に増大させずに、複数の画面表示装置を備える場合と同様に複数の表示領域を表示でき、文字又は図形を大きくできる画面表示装置の提供。【解決手段】表示要求信号発生器２が文字又は図形の表示要求信号を出力し、記憶回路３が表示要求信号を受けて、文字又は図形を示すコードを出力し、メモリ４がコードを受けて、文字又は図形の画像データを出力し、保持回路５，６が画素データを一時保持した後出力し、ミキシング回路７が画素データを表示画面（１０）の表示信号とする画面表示装置。記憶回路３、メモリ４及びミキシング回路７は、複数個の保持回路５，６に各対応して処理し、表示画面（１０）に複数個の保持回路５，６に各対応する文字又は画像を表示し、記憶回路３は、分周回路１１が表示要求信号を分周したパルス列に従った速度で文字又は図形を示すコードを出力して、表示する文字又は図形を大きくする構成である。【選択図】図３
2006195480.tif 000002
【特許請求の範囲】
【請求項１】
表示画面の任意の画素を始点として所定の画素数毎に文字又は図形の表示要求信号を出力する表示要求信号発生器と、前記表示要求信号を受けて、記憶している文字又は図形を示すコードを出力する記憶回路と、該コードを受けて、予め記憶している文字又は図形の画素データを出力するメモリと、前記画素データを一時保持した後、水平同期信号に同期して出力する保持回路と、前記文字又は図形を前記表示画面の所定画素に表示すべく、水平同期信号に同期して、前記保持回路が出力した前記画素データを前記表示画面の表示信号とするミキシング回路とを備え、前記表示画面に前記文字又は図形を表示する画面表示装置において、
前記保持回路を複数個有し、前記記憶回路は、複数個の前記保持回路分の文字又は図形を示すコード群を記憶し、前記表示要求信号を受けて、複数個の前記保持回路のそれぞれに対応する複数の文字又は図形を示すコードを時分割に出力し、前記メモリは、複数の前記コードにそれぞれ対応する複数の画素データを複数個の前記保持回路のそれぞれへ出力し、前記ミキシング回路は、複数個の前記保持回路のそれぞれから出力される画素データを表示信号として、前記表示画面に複数個の前記保持回路のそれぞれに対応する文字又は図形を表示すべくなしてあり、
複数個の前記保持回路からの画素データが同一画素に重複するときに、何れの保持回路からの画素データを優先して表示信号とするかを表す表示優先順位信号を記憶する優先順位記憶回路を備え、前記ミキシング回路は、該優先順位記憶回路の記憶内容に従って、複数個の前記保持回路からのそれぞれの画素データを表示信号とし、
パルス列をなす前記表示要求信号を分周して記憶回路へ入力する分周回路を備え、前記記憶回路は分周された前記パルス列に従った速度で文字又は図形を示すコードを出力して、表示する文字又は図形を大きくすべくなしてあることを特徴とする画面表示装置。
【請求項２】
分周回路の分周比を表す信号を記憶する画像サイズ記憶回路を備え、分周回路は、該画像サイズ記憶回路の記憶内容に従って分周比を決定し、文字又は図形の大きさを選択すべくなしてある請求項１記載の画面表示装置。
【請求項３】
分周比の異なる複数の分周回路を備え、複数個の保持回路のそれぞれに対応する文字又は図形をそれぞれ異なる大きさにすべくなしてある請求項１又は２記載の画面表示装置。
【発明の詳細な説明】
【技術分野】
【０００１】
本発明は、１つの画面表示装置（ＯＳＤ回路（OSD : On Screen Display ））で複数の表示領域を同時に１つの表示画面に表示する画面表示装置に関するものである。
【背景技術】
【０００２】
図９は、従来の画面表示装置の１例の構成を示すブロック図である。この画面表示装置１は、水平同期信号発生器９からの水平同期信号に同期し、ＭＰＵ８からの指示に従って、テレビモニタ１０の表示画面の任意の位置を始点として１文字画面毎にパルス列の表示要求信号を出力する表示要求信号発生器２と、ＭＰＵ８から入力され記憶した文字コードを、表示要求信号を受けて、読み出し出力するＲＡＭ３と、この文字コードを受けて、予め記憶している文字のフォントデータを読み出し、読み出したフォントデータの、表示領域の画素１ライン分宛を出力するＯＳＤＲＯＭ４とを備えている。
【０００３】
また、この画面表示装置１は、ＯＳＤＲＯＭ４が出力した表示領域の画素１ライン分を一時保持した後、水平同期信号に同期して画素１ビット宛順次出力するシフトレジスタ６と、水平同期信号に同期して、文字がテレビモニタ１０の表示画面の所定位置に表示されるように、フォントデータの１ビット宛を着色して、テレビモニタ１０の画像信号に混合させるミキシング回路７とを備えている。
【０００４】
このような構成の画面表示装置１の動作を以下に説明する。
水平同期信号発生器９は、テレビモニタ１０の表示画面の水平位置と同期した水平同期信号を出力している。表示要求信号発生器２は、この水平同期信号をカウントしており、ＭＰＵ８で任意に設定されたフォント表示位置になると、１文字目、２文字目、３文字目‥‥と必要な文字数分の表示要求信号を、水平同期信号に同期させてＲＡＭ３へ出力する。
ＲＡＭ３には、ＭＰＵ８によって任意に設定された文字コードが記憶されており、表示要求信号によって、順次、文字コードが読み出されて、ＯＳＤＲＯＭ４へ出力される。
【０００５】
ＯＳＤＲＯＭ４は、順次、入力された文字コードをアドレスとして、それらの文字のフォントデータを読み出し、１表示領域分が揃うと、表示領域の画素１ライン分をシフトレジスタ６へ出力する。
シフトレジスタ６は、表示領域の画素１ライン分が入力されると、これの１ビット宛を、順次、ミキシング回路７へ出力する。
ミキシング回路７は、フォントデータの１ビットが入力されると、所定の着色を施して、水平同期信号に同期して、文字がテレビモニタ１０の表示画面の所定位置に表示されるように、テレビモニタ１０の画像信号に混合させる。
【０００６】
シフトレジスタ６は、表示領域の画素１ライン分のフォントデータを出力し終わると、ＯＳＤＲＯＭ４から、次の画素１ライン分が入力され、以下、上述と同様の動作が繰り返され、テレビモニタ１０の表示画面の、ＭＰＵ８で任意に設定されたフォント表示位置に、ＭＰＵ８で任意に設定された文字列が表示される。図１０に示したテレビ画面１０ａ（表示画面：但し、一部分のみを示す）の第１表示領域が、上述の動作により表示された表示領域の例である。
【特許文献１】特開昭６２−１５０２８８号公報
【特許文献２】特開平６−２０８３６２号公報
【特許文献３】特開平５−３１６４４５号公報
【特許文献４】特開平６−１４２６７号公報
【発明の開示】
【発明が解決しようとする課題】
【０００７】
ところが、従来の画面表示装置１では、図１０に示した第１表示領域又は第２表示領域のように、１表示領域のみしか表示できず、図２のように複数の表示領域を表示するには、その複数分の画面表示装置が必要であり、回路構成が大きくなって、チップ面積が大きくなる問題があった。この問題を解決するため、既に特許文献１で、画面表示装置の一部を共用する案が提案されているが、未だ改良が必要であった。
【０００８】
本発明は、上述の事情に鑑みてなされたものであり、第１発明では、回路構成を大幅に増大させることなく、複数の画面表示装置を備える場合と同様に複数の表示領域を表示でき、複数の表示領域が重なる場合に、何れを優先させるかを選択でき、文字又は図形を大きくできる画面表示装置を提供することを目的とする。
第２発明では、分周回路の分周比を表す信号を記憶する画像サイズ記憶回路と、画像サイズ記憶回路の記憶内容に従って分周比を決定する分周回路とを設けることにより、文字又は図形の大きさを選択できる画面表示装置を提供することを目的とする。
第３発明では、分周比の異なる複数の分周回路を設けることにより、複数の表示領域の文字又は図形をそれぞれ異なる大きさに設定できる画面表示装置を提供することを目的とする。
【課題を解決するための手段】
【０００９】
本発明の第１発明に係る画面表示装置は、表示画面の任意の画素を始点として所定の画素数毎に文字又は図形の表示要求信号を出力する表示要求信号発生器と、前記表示要求信号を受けて、記憶している文字又は図形を示すコードを出力する記憶回路と、該コードを受けて、予め記憶している文字又は図形の画素データを出力するメモリと、前記画素データを一時保持した後、水平同期信号に同期して出力する保持回路と、前記文字又は図形を前記表示画面の所定画素に表示すべく、水平同期信号に同期して、前記保持回路が出力した前記画素データを前記表示画面の表示信号とするミキシング回路とを備え、前記表示画面に前記文字又は図形を表示する画面表示装置において、前記保持回路を複数個有し、前記記憶回路は、複数個の前記保持回路分の文字又は図形を示すコード群を記憶し、前記表示要求信号を受けて、複数個の前記保持回路のそれぞれに対応する複数の文字又は図形を示すコードを時分割に出力し、前記メモリは、複数の前記コードにそれぞれ対応する複数の画素データを複数個の前記保持回路のそれぞれへ出力し、前記ミキシング回路は、複数個の前記保持回路のそれぞれから出力される画素データを表示信号として、前記表示画面に複数個の前記保持回路のそれぞれに対応する文字又は図形を表示すべくなしてあり、複数個の前記保持回路からの画素データが同一画素に重複するときに、何れの保持回路からの画素データを優先して表示信号とするかを表す表示優先順位信号を記憶する優先順位記憶回路を備え、前記ミキシング回路は、該優先順位記憶回路の記憶内容に従って、複数個の前記保持回路からのそれぞれの画素データを表示信号とし、パルス列をなす前記表示要求信号を分周して記憶回路へ入力する分周回路を備え、前記記憶回路は分周された前記パルス列に従った速度で文字又は図形を示すコードを出力して、表示する文字又は図形を大きくすべくなしてあることを特徴とする。
【００１０】
この画面表示装置では、記憶回路は複数個の保持回路のそれぞれに対応する複数の文字又は図形を示すコードを出力し、メモリはこの複数のコードにそれぞれ対応する複数の画素データを複数個の保持回路のそれぞれへ出力する。複数個の保持回路はそれぞれの画素データを一時保持した後、水平同期信号に同期して出力し、ミキシング回路は複数個の保持回路のそれぞれから出力される画素データを表示信号として、表示画面に複数個の保持回路のそれぞれに対応する文字又は図形を表示する。
優先順位記憶回路が、複数個の保持回路からの画素データが同一画素に重複するときに、何れの保持回路からの画素データを優先して表示信号とするかを表す表示優先順位信号を記憶する。そして、ミキシング回路は、優先順位記憶回路の記憶内容に従って、複数個の保持回路からのそれぞれの画素データを表示信号とする。
分周回路が、パルス列をなす表示要求信号を分周して記憶回路へ入力し、記憶回路は分周されたパルス列に従った速度で文字又は図形を示すコードを出力して、表示する文字又は図形を大きくする。
【００１１】
第２発明に係る画面表示装置は、分周回路の分周比を表す信号を記憶する画像サイズ記憶回路を備え、分周回路は、該画像サイズ記憶回路の記憶内容に従って分周比を決定し、文字又は図形の大きさを選択すべくなしてあることを特徴とする。
【００１２】
この画面表示装置では、画像サイズ記憶回路が、分周回路の分周比を表す信号を記憶する。そして、分周回路は、画像サイズ記憶回路の記憶内容に従って分周比を決定し、文字又は図形の大きさを選択する。
【００１３】
第３発明に係る画面表示装置は、分周比の異なる複数の分周回路を備え、複数個の保持回路のそれぞれに対応する文字又は図形をそれぞれ異なる大きさにすべくなしてあることを特徴とする。
【００１４】
この画面表示装置では、分周回路は、それぞれ異なる分周比で表示要求信号を分周し、複数個の保持回路のそれぞれに対応する文字又は図形をそれぞれ異なる大きさにする。
【発明の効果】
【００１５】
第１発明に係る画面表示装置によれば、回路構成を大幅に増大させることなく、複数の画面表示装置を備える場合と同様に複数の表示領域を表示でき、複数の表示領域が重なる場合に、何れを優先させるかを選択でき、文字又は図形を大きくすることができる。
【００１６】
第２発明に係る画面表示装置によれば、文字又は図形の大きさを選択するこができる。
【００１７】
第３発明に係る画面表示装置によれば、複数の表示領域の文字又は図形をそれぞれ異なる大きさに設定することができる。
【発明を実施するための最良の形態】
【００１８】
以下に、本発明の実施の形態をそれを示す図面に基づき説明する。
図１は、本発明に係る画面表示装置の実施の形態を説明する為の画面表示装置の構成を示すブロック図である。この画面表示装置１ａは、水平同期信号発生器９からの水平同期信号に同期し、ＭＰＵ８からの指示に従って、テレビモニタ１０の表示画面の任意の位置を始点として１文字画面毎に、１表示領域分のパルス列の表示要求信号を出力する表示要求信号発生器２と、ＭＰＵ８から入力され記憶した、２表示領域に表示する文字コードを、表示要求信号を受けて、読み出し出力するＲＡＭ３と、この２表示領域に表示する文字コードを受けて、予め記憶している文字のフォントデータを２表示領域分それぞれに読み出し、読み出したフォントデータの、２表示領域の画素１ライン分宛をそれぞれ出力するＯＳＤＲＯＭ４とを備えている。
【００１９】
また、この画面表示装置１は、ＯＳＤＲＯＭ４が出力した２表示領域の画素１ライン分をそれぞれ一時保持した後、それぞれ水平同期信号に同期して画素１ビット宛順次出力する２つのシフトレジスタ５，６と、水平同期信号に同期して、２表示領域の文字がテレビモニタ１０の表示画面の表示領域それぞれの所定位置に表示されるように、２表示領域のそれぞれのフォントデータの１ビット宛を着色して、テレビモニタ１０の画像信号に混合させるミキシング回路７とを備えている。
また、この画面表示装置１は、２表示領域の表示優先順位を表す信号をＭＰＵ８から入力され記憶する優先順位記憶回路（優先順位レジスタ）１４を備え、ミキシング回路７は、優先順位記憶回路１４の記憶内容に従って、２表示領域の何れかを優先する又はＯＲ論理を取るの３方法の内の１つを選択して、テレビモニタ１０の画像信号に混合させる。
【００２０】
このような構成の画面表示装置１ａの動作を以下に説明する。
水平同期信号発生器９は、テレビモニタ１０の表示画面の水平位置と同期した水平同期信号を出力している。表示要求信号発生器２は、この水平同期信号をカウントしており、ＭＰＵ８で任意に設定されたフォント表示位置になると、１文字目、２文字目、３文字目‥‥と必要な文字数分の表示要求信号を、水平同期信号に同期させてＲＡＭ３へ出力する。尚、この表示要求信号は１表示領域に対応している。
ＲＡＭ３には、ＭＰＵ８によって任意に設定された２表示領域分の文字コードが記憶されており、表示要求信号によって、順次、２表示領域分の文字コードがそれぞれ読み出されて、ＯＳＤＲＯＭ４へそれぞれ出力される。
つまり、１文字目、２文字目、３文字目・・・と必要な文字数分の表示要求信号に同期して、各要求信号毎に以下の２種類のアドレスを時分割でＲＡＭ３へ入力する。
・アドレス１・・・表示領域１に対応したＲＡＭアドレス１
・アドレス２・・・表示領域２に対応したＲＡＭアドレス２
上記各アドレスに応じたデータ（２種類の文字コード）がＲＡＭ３から時分割で読み出され、ＯＳＤＲＯＭ４へ与えられる。
【００２１】
ＯＳＤＲＯＭ４は、それぞれ入力された２表示領域分の文字コードによって、順次、それらの文字のフォントデータを読み出し、それぞれ１表示領域分が揃うと、表示領域の画素１ライン分をそれぞれシフトレジスタ５，６へ出力する。
ＯＳＤＲＯＭ４へは上記２種類の文字コード（即ち、２種類のＯＳＤＲＯＭアドレス）が時分割で与えられ、２種類のフォントデータが読み出され、各シフトレジスタ５，６に格納される。
・文字コード１→フォントデータ１→シフトレジスタ５へ格納
・文字コード２→フォントデータ２→シフトレジスタ６へ格納
シフトレジスタ５，６は、それぞれ表示領域の画素１ライン分が入力されると、これの１ビット宛を、順次、ミキシング回路７へそれぞれ出力する。
【００２２】
ミキシング回路７は、それぞれのフォントデータの１ビットが入力されると、所定の着色を施して、水平同期信号に同期して、文字がテレビモニタ１０の表示画面のそれぞれの所定位置に表示されるように、テレビモニタ１０の画像信号に混合させる。
このとき、ミキシング回路７は、２表示領域が重なる部分については、優先順位記憶回路１４の記憶内容に従って、２表示領域の何れかを優先する又はＯＲ論理を取るの３方法の内から１つを選択して、テレビモニタ１０の画像信号に混合させる。
【００２３】
シフトレジスタ５，６は、それぞれ表示領域の画素１ライン分のフォントデータを出力し終わると、ＯＳＤＲＯＭ４から、それぞれの次の画素１ライン分が入力され、以下、上述と同様の動作が繰り返され、テレビモニタ１０の表示画面の、ＭＰＵ８で任意に設定されたフォント表示位置に、ＭＰＵ８で任意に設定された２つの文字列が表示される。
図２に示したテレビ画面１０ａ（表示画面：但し、一部分のみを示す）の第１表示領域及び第２表示領域が、上述の動作により表示された表示領域の例である。第１表示領域及び第２表示領域の境界線付近で、両者が重なっており、この場合はＯＲ論理を取っている。
このような画面表示装置１ａでは、従来の画面表示装置１にシフトレジスタ５を１つ加えるだけで、回路構成を大幅に大きくすることなく、容易に２表示領域を表示することができる。
【００２４】
実施の形態１．
図３は、第１発明に係る画面表示装置の実施の形態の構成例を示すブロック図である。この画面表示装置１ｂは、表示要求信号発生器２からの表示要求信号のパルス列を２つ取り出し、一方はそのままＲＡＭ３に入力し、他方は例えば１／２の分周回路１１で分周された後、ＲＡＭ３に入力されている。その他の構成は、図１で説明した画面表示装置の構成と同様なので、説明を省略する。
【００２５】
このような構成の画面表示装置１ｂの動作を以下に説明する。
水平同期信号発生器９は、テレビモニタ１０の表示画面の水平位置と同期した水平同期信号を出力している。表示要求信号発生器２は、この水平同期信号をカウントしており、ＭＰＵ８で任意に設定されたフォント表示位置になると、１文字目、２文字目、３文字目‥‥と必要な文字数分の表示要求信号を、水平同期信号に同期させてＲＡＭ３へ出力する。
【００２６】
このとき、表示要求信号は２つに分けられ、一方はそのままＲＡＭ３に入力され、他方は分周回路１１で分周された後、ＲＡＭ３に入力されている。
ＲＡＭ３には、ＭＰＵ８によって任意に設定された２表示領域分の文字コードが記憶されており、その内、表示要求信号に同期された１表示領域分の文字コードは、従来どおり、表示要求信号によって、順次、読み出されて、ＯＳＤＲＯＭ４へ出力される。他方、分周回路１１で分周された表示要求信号に同期された１表示領域分の文字コードは、従来の２倍遅い速度でＯＳＤＲＯＭ４へ出力される。
【００２７】
このため、分周回路１１で分周された表示要求信号に同期された１表示領域分のフォントデータは、その１表示領域分を担当するシフトレジスタ（ここでは、シフトレジスタ５とする）へ入力されるフォントデータの周期は通常の２倍となり、その表示画面の文字は、図４の第２表示領域に示すように、横方向に２倍の大きさになる。その他の動作は、図１、２で説明した画面表示装置の動作と同様なので、説明を省略する。
このような画面表示装置１ｂでは、従来の画面表示装置１に分周回路１１を１つ加えるだけで、回路構成を大幅に大きくすることなく、容易に２表示領域に表示させる文字の大きさを異ならせることができる。
【００２８】
実施の形態２．
図５は、第２発明に係る画面表示装置の実施の形態の構成例を示すブロック図である。この画面表示装置１ｃは、表示要求信号発生器２からの表示要求信号のパルス列を２つ取り出し、一方はそのままＲＡＭ３に入力し、他方は例えば１／２の分周回路１１ａで分周された後、ＲＡＭ３に入力されている。分周回路１１ａには、分周回路１１ａの分周比を表す信号をＭＰＵ８から入力され記憶する文字サイズレジスタ１２の記憶内容が与えられ、分周回路１１ａは、これにより、分周比を切り換える。
【００２９】
例えば、文字サイズレジスタ１２が“Ｌ”を記憶しているとき、分周回路１１は、分周比を１（分周しない）にして、表示要求信号発生器２からの表示要求信号のパルス列を出力する。
文字サイズレジスタ１２が“Ｈ”を記憶しているとき、分周回路１１は、分周比を２にして、表示要求信号発生器２からの表示要求信号のパルス列を１／２に分周して出力する。その他の構成及び動作は実施の形態１で説明した画面表示装置の構成及び動作と同様なので、説明を省略する。
このような画面表示装置１ｃでは、文字サイズレジスタ１２を加えるだけで、回路構成を大幅に大きくすることなく、表示させる文字の大きさをＭＰＵ８により容易に選択することができる。
【００３０】
実施の形態３．
図６は、第３発明に係る画面表示装置の実施の形態の構成例を示すブロック図である。この画面表示装置１ｄは、表示要求信号発生器２からの表示要求信号のパルス列を２つ取り出し、一方は例えば１／２の分周回路１１で、他方は例えば１／３の分周回路１３でそれぞれ分周された後、ＲＡＭ３に入力されている。その他の構成は、図１、２で説明した画面表示装置の構成と同様なので、説明を省略する。
【００３１】
このような構成の画面表示装置１ｄの動作を以下に説明する。
水平同期信号発生器９は、テレビモニタ１０の表示画面の水平位置と同期した水平同期信号を出力している。表示要求信号発生器２は、この水平同期信号をカウントしており、ＭＰＵ８で任意に設定されたフォント表示位置になると、１文字目、２文字目、３文字目‥‥と必要な文字数分の表示要求信号を、水平同期信号に同期させてＲＡＭ３へ出力する。
【００３２】
このとき、表示要求信号は２つに分けられ、一方は例えば１／２の分周回路１１で、他方は例えば１／３の分周回路１３でそれぞれ分周された後、ＲＡＭ３に入力されている。
ＲＡＭ３には、ＭＰＵ８によって任意に設定された２表示領域分の文字コードが記憶されており、その内、分周回路１１で分周された表示要求信号に同期された１表示領域分の文字コードは、従来の２倍遅い速度でＯＳＤＲＯＭ４へ出力され、分周回路１３で分周された表示要求信号に同期された１表示領域分の文字コードは、従来の３倍遅い速度でＯＳＤＲＯＭ４へ出力される。
【００３３】
このため、分周回路１１で分周された表示要求信号に同期された１表示領域分のフォントデータは、その１表示領域分を担当するシフトレジスタ（ここでは、シフトレジスタ６とする）へ入力されるフォントデータの周期は通常の２倍となり、その表示画面の文字は、横方向に２倍の大きさになる。
他方、分周回路１３で分周された表示要求信号に同期された１表示領域分のフォントデータは、その１表示領域分を担当するシフトレジスタ（ここでは、シフトレジスタ５とする）へ入力されるフォントデータの周期は通常の３倍となり、その表示画面の文字は、横方向に３倍の大きさになる。
【００３４】
この結果、第１表示領域及び第２表示領域の文字の大きさの比は、図７に示すように、横方向に１：１．５になる。その他の動作は、図１、２で説明した画面表示装置の動作と同様なので、説明を省略する。
このような画面表示装置１ｄでは、同時に表示する２表示領域の文字サイズをそれぞれ独立に設定できるので、２表示領域の文字サイズの比率を整数倍以外の値に設定することができる。
【００３５】
実施の形態４．
図８は、第３発明に係る画面表示装置の他の実施の形態の構成例を示すブロック図である。この画面表示装置１ｅは、表示要求信号発生器２からの表示要求信号のパルス列を２つ取り出し、一方は分周回路１１ａで分周された後、ＲＡＭ３に入力され、他方は分周回路１３ａで分周された後、ＲＡＭ３に入力されている。文字サイズレジスタ１２，１５は分周回路１１ａ，１３ａのそれぞれの分周比を表す信号がＭＰＵ８から入力されてこれらを記憶し、記憶内容を分周回路１１ａ，１３ａに与える。これにより、分周回路１１ａ，１３ａの分周比が設定される。その他の構成は、図５に示した実施の形態２で説明した画面表示装置の構成と同様であり、同一部分に同一符号を付して説明を省略する。
【００３６】
例えば、文字サイズレジスタが“００”を記憶しているとき、分周回路の分周比は１（分周しない）に設定され、“０１”を記憶しているとき、分周回路の分周比は１／２に、“１０”を記憶しているとき、分周比は１／３に、“１１”を記憶しているとき、分周比は１／４にそれぞれ設定されるようにしてある。
このような画面表示装置１ｅでは、分周回路１１ａ，１３ａとこれに対応する文字サイズレジスタ１２，１５とを加えるだけで、回路構成を大幅に大きくすることなく、表示させる文字の大きさを表示領域毎に容易に選択することができる。
【００３７】
尚、上述の各実施の形態では、表示領域の数を２としたが２以外の数でも、同様なことを実施するのは容易なことである。
また、上述の各実施の形態で使用した分周比もこれらに限られないことは言う迄もない。
【図面の簡単な説明】
【００３８】
【図１】本発明に係る画面表示装置の実施の形態を説明する為の画面表示装置の構成を示すブロック図である。
【図２】図１に示す画面表示装置の動作により表示された表示領域の例を示す説明図である。
【図３】第１発明に係る画面表示装置の実施の形態の構成例を示すブロック図である。
【図４】第１発明に係る画面表示装置の動作により表示された表示領域の例を示す説明図である。
【図５】第２発明に係る画面表示装置の実施の形態の構成例を示すブロック図である。
【図６】第３発明に係る画面表示装置の実施の形態の構成例を示すブロック図である。
【図７】第３発明に係る画面表示装置の動作により表示された表示領域の例を示す説明図である。
【図８】第３発明に係る画面表示装置の他の実施の形態の構成例を示すブロック図である。
【図９】従来の画面表示装置の１例の構成を示すブロック図である。
【図１０】従来の画面表示装置の動作により表示される表示領域を説明するための説明図である。
【符号の説明】
【００３９】
１ａ〜１ｅ  画面表示装置、２  表示要求信号発生器、３  ＲＡＭ、４  ＯＳＤＲＯＭ、５，６  シフトレジスタ、７  ミキシング回路、８  ＭＰＵ、９  水平同期信号発生器、１０  テレビモニタ、１０ａ  テレビ画面、１１，１１ａ，１３，１３ａ  分周回路、１２，１５  文字サイズレジスタ、１４  優先順位レジスタ（優先順位記憶回路）。
【図１】
2006195480.tif 000003
【図２】
2006195480.tif 000004
【図３】
2006195480.tif 000005
【図４】
2006195480.tif 000006
【図５】
2006195480.tif 000007
【図６】
2006195480.tif 000008
【図７】
2006195480.tif 000009
【図８】
2006195480.tif 000010
【図９】
2006195480.tif 000011
【図１０】
2006195480.tif 000012